(57)【要約】【課題】端子台カバー用の落下防止金具などの部材を用いない構成で、端子台カバーの落下防止をはかることができる照明器具を得る。【解決手段】光源となる光源モジュールを有する光源ユニットと、開口部を有し、開口部を介して電源線が接続される電源端子台が収容される電源ケースと、端部を有し、開口部を覆う端子台カバーとを備え、端子台カバーは、光源ユニットおよび電源ケースの少なくとも一方に取り付けられ、取り付けられているときの端部の位置と、取り外されるときの端部の位置とが異なるものである。【選択図】図９
2019185910.tif 000002
【特許請求の範囲】
【請求項１】
光源となる光源モジュールを有する光源ユニットと、
開口部を有し、前記開口部を介して電源線が接続される電源端子台が収容される電源ケースと、
端部を有し、前記開口部を覆う端子台カバーと
を備え、
前記端子台カバーは、前記光源ユニットおよび前記電源ケースの少なくとも一方に取り付けられ、取り付けられているときの前記端部の位置と、取り外されるときの前記端部の位置とが異なる照明器具。
【請求項２】
前記光源ユニットおよび前記電源ケースの少なくとも一方が、前記端子台カバーが取り付けられているときの前記端部の位置の基準面となる請求項１に記載の照明器具。
【請求項３】
前記端子台カバーは、取り付けを行うためのねじ穴および爪部のいずれか一方を有する請求項１または請求項２に記載の照明器具。
【請求項４】
前記端子台カバーは、前記電源線を通す電源線用開口部を有し、前記電源線用開口部の縁は、板金が折り曲げられた状態である請求項１〜請求項３のいずれか一項に記載の照明器具。
【請求項５】
被取付部に取り付けるための取付穴を前記光源ユニットと対向する面に有し、前記光源ユニットに固定されたアームをさらに備え、
前記アームの前記取付穴を有する面側から前記光源ユニットの方向を見たときに、前記電源端子台は、前記アームの前記取付穴を有する面と重なるように配置されている請求項１〜請求項４のいずれか一項に記載の照明器具。
【発明の詳細な説明】
【技術分野】
【０００１】
この発明は、照明器具に関するものである。特に、電線を接続する端子が設置された端子台を保護する端子台カバーを有する照明器具に関するものである。
【背景技術】
【０００２】
天井もしくは梁に取り付けられるまたは天井から吊り下げられる照明器具がある。ここで、天井に対向するように光源ユニット支持部材である天板に取り付けられた端子台を、天井方向から覆うように天板に取り付けられる端子台カバーを有する照明器具がある（たとえば、特許文献１参照）。
【先行技術文献】
【特許文献】
【０００３】
【特許文献１】特開２０１６−２０７２９０号公報
【発明の概要】
【発明が解決しようとする課題】
【０００４】
特許文献１に記載の照明器具は、端子台カバーに形成された開口を介して外部電源を供給する電源線が端子台に接続される。特許文献１に記載された照明器具の端子台カバーは、端子台に埃が付着することを防止する目的で取り付けられる。したがって、電源線を接続する際は、端子台カバーを着脱する必要がある。
【０００５】
そして、天板から外した端子台カバーに形成された開口部分に電源線を通す構成にすることで、端子台カバーの取付が緩んだ場合に、電源線が端子台カバーを支持し、落下防止をはかることが考えられる。しかしながら、このような照明器具では、電源線としてＦケーブルなどの一般的に硬いケーブルを用いることが多い。したがって、このような照明器具の構成では、端子台カバーの開口部分に電源線を通す際の施工性が悪くなる。
【０００６】
この発明は、上述した課題を解決するため、端子台カバー用の落下防止金具などの部材を用いない構成で、端子台カバーの落下防止をはかることができる照明器具を提供することを目的とする。
【課題を解決するための手段】
【０００７】
上記の課題を解決するために、この発明に係る照明器具は、光源となる光源モジュールを有する光源ユニットと、開口部を有し、開口部を介して電源線が接続される電源端子台が収容される電源ケースと、端部を有し、開口部を覆う端子台カバーとを備え、端子台カバーは、光源ユニットおよび電源ケースの少なくとも一方に取り付けられ、取り付けられているときの端部の位置と、取り外されるときの端部の位置とが異なるものである。
【発明の効果】
【０００８】
この発明の照明器具は、取り付けられているときの端部の位置と、取り外されるときの端部の位置とが異なるようにした。このため、万が一、取り付けが緩んだ場合でも、取り外されるときの位置まで自然に移動することが困難であるようにしておけば、簡単な構造で、端子台カバーの落下防止をはかることができる。
【図面の簡単な説明】
【０００９】
【図１】この発明の実施の形態１に係る照明器具１を示す斜視図である。
【図２】この発明の実施の形態１に係る照明器具１を別方向から見たときの斜視図である。
【図３】この発明の実施の形態１に係る照明器具１の正面図である。
【図４】この発明の実施の形態１に係る照明器具１の分解斜視図である。
【図５】この発明の実施の形態１に係る照明器具１のヒートシンク枠組４０の分解斜視図である。
【図６】この発明の実施の形態１に係る照明器具１の平面図である。
【図７】この発明の実施の形態１に係る照明器具１の右側面図である。
【図８】この発明の実施の形態１に係る端子台カバー２０の構成を示す図である。
【図９】この発明の実施の形態２に係る端子台カバー２０を取り外す手順について説明する図である。
【図１０】図９（ａ）における端子台カバー２０周辺における状態を説明する図である。
【図１１】図９（ｂ）における端子台カバー２０周辺における状態を説明する図である。
【図１２】この発明の実施の形態２に係る照明器具１の右側面側から電源線７５を取り付ける手順について説明する図である。
【図１３】この発明の実施の形態２に係る天板４１の電源線挿入穴４１ｂを用いずに電源線７５を取り付ける手順について説明する図である。
【発明を実施するための形態】
【００１０】
実施の形態１．
図１は、この発明の実施の形態１に係る照明器具１を示す斜視図である。また、図２は、この発明の実施の形態１に係る照明器具１を別方向から見たときの斜視図である。さらに、図３は、この発明の実施の形態１に係る照明器具１の正面図である。また、図４は、この発明の実施の形態１に係る照明器具１の分解斜視図である。そして、図５は、この発明の実施の形態１に係る照明器具１のヒートシンク枠組４０の分解斜視図である。
【００１１】
図１〜図５に基づいて、実施の形態１における照明器具１の全体構成などについて説明する。図１および図２に示すように、照明器具１は、アーム１０、端子台カバー２０、電源ケース３０、コネクタカバー３１および光源ユニット８０を有している。照明器具１は、また、落下防止金具７３および落下防止ワイヤ７４を備える。
【００１２】
アーム１０は、照明器具１を天井や梁などの被取付部に取り付けるための取付部材である。アーム１０は、Ｕ字形状またはコの字形状に形成された板金で形成されている。アーム１０には強度が求められる。このため、アーム１０の材質としては、亜鉛めっき鋼板、ステンレスなどが好適である。また、アーム１０は、光源ユニット８０と対向する面に、取付穴１０ａおよび取付穴１０ｂを有している。アーム１０は、アーム取付ねじ１１によって、光源ユニット８０が有するヒートシンク枠組４０の中央支柱４３と締結される。また、アーム１０は、図４に示すように、端部に、一対の貫通穴１２を有している。貫通穴１２は、長穴となっており、貫通穴１２において、ネジで締結する位置によって、アーム１０と光源ユニット８０の取付角度を調節することができる。
【００１３】
電源ケース３０は、光源ユニット８０内の光源を点灯させる電源装置（図示せず）を収容する。コネクタカバー３１は、後述する拡張端子３８を保護する。また、端子台カバー２０は、後述するように、商用電源から電力を供給する電源線７５が接続される電源端子台３２を保護する。端子台カバー２０、電源ケース３０およびコネクタカバー３１については、後に説明する。
【００１４】
図３に示すように、落下防止ワイヤ７４は、支柱枠組４２の片側に固定されている。落下防止金具７３は、天井などの被取付部に取り付けられ、照明器具１のアーム１０による取り付けが外れた場合に、照明器具１の脱落を抑制する。
【００１５】
図４に示すように、光源ユニット８０は、ヒートシンク枠組４０、光源モジュール６０および絶縁シート６１、リフレクタ７０およびカバー７１を有している。カバー７１は、後述する光源モジュール６０を保護するとともに、光源モジュール６０への汚れの付着を抑制する。カバー７１は、ガラスまたは樹脂を材料とする。カバー７１は、カバー取付ねじ７２により放熱板５２に締結される。カバー７１と放熱板５２は、パッキンを介して接する。
【００１６】
図５に示すように、ヒートシンク枠組４０は、天板４１、支柱枠組４２およびヒートシンク５０を備える。ヒートシンク５０は、放熱板５２の上に放熱フィン５１が複数配置されることにより形成されている。放熱フィン５１および放熱板５２は、後述する光源モジュール６０の熱を放熱する。放熱フィン５１と放熱板５２は、カシメ、溶接などで接合される。ヒートシンク５０は、光源モジュール６０が発する熱を空中に放熱するために配置される。放熱フィン５１および放熱板５２は、アルミ材で形成されている。放熱板５２は、アルミ材の板金の端を、上方に折り曲げて形成される。実施の形態１の放熱板５２の平面視の形状は、正方形である。ただし、放熱板５２が、長方形の形状でもよい。放熱フィン５１よりも放熱板５２の方が、熱源である光源モジュール６０に近いため、板厚が厚い。
【００１７】
天板４１と放熱板５２は、支柱枠組４２および中央支柱４３で締結される。天板４１は、ヒートシンク５０へのほこりの付着を抑制する。また、天板４１は、端子台カバー２０および電源ケース３０を保持する。天板４１および支柱枠組４２は、ヒートシンク５０を保護する。支柱枠組４２および中央支柱４３は、照明器具１に、他の物が当たり、放熱フィン５１が変形することを抑制する。
【００１８】
光源モジュール６０は、電源ユニットから供給される電力により光を発する。実施の形態１の光源モジュール６０の光源は、ＣＯＢ（Ｃｈｉｐ  Ｏｎ  Ｂｏａｒｄ）−ＬＥＤである。光源モジュール６０は、ＣＯＢ−ＬＥＤを、ホルダで保持した構成となっている。ホルダは、光源を保持するとともに光源が発する熱を放熱板５２に伝える。実施の形態１の照明器具１は、光源モジュール６０が４個配置されている。ただし、個数、配置位置などを限定するものではなく、光源モジュール６０の数は６個、８個などで、図４とは異なる配置であってもよい。
【００１９】
光源モジュール６０の照射側には、リフレクタ７０およびカバー７１が配置される。リフレクタ７０は、光源モジュール６０が発する光の一部を反射させる。リフレクタ７０は樹脂で形成される。リフレクタ７０は、前述したカバー７１の凹部に収まることで、位置決めされる。光源モジュール６０、絶縁シート６１およびリフレクタ７０は、カバー７１と放熱板５２の間に挟持される。
【００２０】
図６は、この発明の実施の形態１に係る照明器具１の平面図である。ここでは、電源ケース３０について説明する。電源ケース３０は、天板４１の天井側に配置される。電源ケース３０は、板金を折り曲げて形成される。ここで、電源ケース３０の材質について、特に限定するものではないが、軽量化をはかるためにアルミ材が好適である。電源ケース３０は、天板４１に電源ケース３０を固定するため、電源ケース３０において、右側面側に延伸されたフランジ３０ａを有する。フランジ３０ａは、天板４１に、ケース締結ねじ３３で締結されている。また、電源ケース３０は、内部に、後述する電源端子台３２および電源ユニット（図示せず）を収容する。電源ユニットは、外部から供給される商用電源の電力を直流電力に変換し、光源モジュール６０に供給する装置である。
【００２１】
図７は、この発明の実施の形態１に係る照明器具１の右側面図である。図７（ａ）に示すように、実施の形態１の照明器具１においては、電源ケース３０の右側面側に端子台カバー２０が取り付けられる。また、電源ケース３０の上側にコネクタカバー３１が取り付けられる。図７（ｂ）は、照明器具１において、端子台カバー２０およびコネクタカバー３１が外された状態を示す図である。
【００２２】
図７を用いてコネクタカバー３１について説明する。コネクタカバー３１は、図７（ｂ）に示す拡張端子３８を保護するために取り付けられる。拡張端子３８は、別の機器を接続する端子である。拡張端子３８に別の機器を接続することで、照明器具１の機能を拡張することができる。たとえば、拡張端子３８に無線調光ユニットを接続することにより、調光信号線を引くことなく、照明器具１を調光させることができる。
【００２３】
さらに、図７（ｂ）に示すように、電源ケース３０は、右側面側中央に開口部３４を有している。開口部３４からは、電源ケース３０内の電源端子台３２が露出している。そして、開口部３４を介して、電源端子台３２に、電源線７５が接続される。電源線７５は、外部から照明器具１に電源を供給する線である。電源端子台３２が、電源ケース３０の略中央である右側面中央に配置されることにより、電源線７５が被取付部である天井から引き出される場合、電源線７５を直線的に最短距離で引き廻すことができる。
【００２４】
ここで、「略中央に配置される」とは、図６に示すように、照明器具１を取り付ける側から光源ユニット８０方向を見たとき（平面視したとき）に、取付穴１０ａおよび１０ｂのそれぞれの平面視で周辺側部分よりも中央寄りに配置されることをいう。また、照明器具１を平面視したときに、アーム１０に重なるような位置に配置されることと定義してもよい。実施の形態１の電源端子台３２は、平面視したときに、アーム１０の取付穴１０ａおよび取付穴１０ｂが設けられた面に重なるような位置に配置されている。そして、図７（ａ）に示すように、開口部３４は、端子台カバー２０で覆われる。
【００２５】
図８は、この発明の実施の形態１に係る端子台カバー２０の構成を示す図である。図８を用いて、端子台カバー２０の構成を説明する。端子台カバー２０は、板金を折り曲げて正面、上面、右側面および背面を有する箱状に形成される。端子台カバー２０は、上面に固定穴２０ａ、背面に電源線用開口部２０ｄおよび右側面の天板４１と接触する側に、２箇所の爪部２０ｅが形成されている。また、端子台カバー２０は、正面側端部２０ｆを有する。
【００２６】
固定穴２０ａは、長穴部２０ｂと丸穴部２０ｃとを有する。また、電源線用開口部２０ｄは、板金が折り曲げられ、縁の部分が形成されている。縁を設けることにより、前述した電源線７５の被覆が、端子台カバー２０のエッジで傷つけられることを防ぐ。端子台カバー２０は、爪部２０ｅを、天板４１に形成された突起受穴４１ａに差し込み、固定穴２０ａを介して、カバー固定ねじ２１を電源ケース３０に締結することにより、照明器具１の天板４１上の電源ケース３０に固定される。
【００２７】
図９は、この発明の実施の形態１に係る端子台カバー２０を取り外す手順について説明する図である。また、図１０は、図９（ａ）における端子台カバー２０周辺における状態を説明する図である。さらに、図１１は、図９（ｂ）における端子台カバー２０周辺における状態を説明する図である。図１０および図１１は、図６のＡ−Ａ視断面図である。
【００２８】
図６、図９（ａ）および図１０は、端子台カバー２０が照明器具１に取り付けられた状態である。このとき、カバー固定ねじ２１は、端子台カバー２０の長穴部２０ｂ側で締結されている。図１０に示すように、端子台カバー２０の正面側端部２０ｆは、端子台カバー２０が照明器具１に取り付けられているときには、天板４１の電源ケース３０側の面を基準面とする位置において、天板４１に載置されている。ここで、端子台カバー２０は、電源ケース３０にも接している。このため、端子台カバー２０が照明器具１に取り付けられているときの、正面側端部２０ｆが配置される基準面を、天板４１にする代わりに、電源ケース３０としてもよい。
【００２９】
図９（ｂ）は、端子台カバー２０を取り外すために、カバー固定ねじ２１を緩め、端子台カバー２０を照明器具１の背面方向に移動させて、カバー固定ねじ２１が端子台カバー２０の丸穴部２０ｃ側に移動させた状態を示す。このとき、端子台カバー２０の正面側端部２０ｆは、取り付けられているときの基準面である天板４１ではなく、電源ケース３０のフランジ３０ａ上に載置される。
【００３０】
丸穴部２０ｃの穴径は、カバー固定ねじ２１の頭部の径よりも大きく形成されている。このため、カバー固定ねじ２１を外すことなく、端子台カバー２０をさらに上方に持ち上げることにより、図９（ｃ）に示すように、照明器具１から、端子台カバー２０を取り外すことができる。
【００３１】
図９（ｂ）に示すように、端子台カバー２０を照明器具１の背面方向に移動させるためには、図１１の矢印で示すように、端子台カバー２０を、基準面である天板４１の電源ケース３０側の面から一旦持ち上げる。そして、天板４１から一旦離隔させた端子台カバー２０の正面側端部２０ｆを、フランジ３０ａ上に載置する必要がある。
【００３２】
以上のように、実施の形態１に係る照明器具１によれば、端子台カバー２０において、カバー固定ねじ２１が締結される固定穴２０ａは、長穴部２０ｂと丸穴部２０ｃとを有している。そして、照明器具１に取り付けられた状態の端子台カバー２０は、端子台カバー２０の長穴部２０ｂ側で締結されている。端子台カバー２０を外すには、端子台カバー２０を、基準面である天板４１の電源ケース３０側の面から一旦持ち上げてフランジ３０ａに載置するように移動させなければならない構造となる。このため、照明器具１の振動などで、カバー固定ねじ２１が万が一緩んだ場合であっても、端子台カバー２０がフランジ３０ａに載置するまで自然に移動することは困難である。したがって、端子台カバー２０が外れることなく、照明器具１から脱落するおそれが少なくなる。
【００３３】
実施の形態２．
図１２は、この発明の実施の形態２に係る照明器具１の右側面側から電源線７５を取り付ける手順について説明する図である。次に、図１２を用いて、端子台カバー２０を取り外した照明器具１に電源線７５を取り付ける方法について説明する。
【００３４】
まず、図１２（ａ）に示すように、端子台カバー２０を取り外した照明器具１に、電源線７５を、照明器具１の右側面側から取り付ける。そして、図１２（ａ）に示すように、電源線７５は、天板４１の下面側から、天板４１に形成された電源線挿入穴４１ｂに挿入される。この後、電源端子台３２の接続口に接続される。
【００３５】
このように、電源線７５を取り付けることで、電源線７５に張力が加わった場合、天板４１が張力を受け止め、電源端子台３２に直接張力が加わらない。このため、電源端子台３２に接続された電源線７５の配線外れ、配線切れなどを抑制することができる。さらに、電源線７５は、照明器具１の右側面側から上方に繰り上げられて電源線挿入穴４１ｂに挿入されている。このため、電源線７５の自重による落下を抑制することができる。
【００３６】
つぎに、図１２（ｂ）を用いて、端子台カバー２０の取付方法を説明する。端子台カバー２０の丸穴部２０ｃがカバー固定ねじ２１の真上にくるように端子台カバー２０の上面を電源ケース３０の上面に載置する。このとき、端子台カバー２０の爪部２０ｅは、天板４１の突起受穴４１ａに差し込まれる。次に、図１２（ｂ）に示すように、カバー固定ねじ２１が長穴部２０ｂ側になるように、端子台カバー２０を照明器具１の正面側に移動させる。このとき、電源ケース３０のフランジ３０ａに接触している端子台カバー２０の正面側端部２０ｆが、フランジ３０ａより一段低い天板４１に接触するまで、端子台カバー２０を照明器具１の正面側に移動させる。最後に緩めてあったカバー固定ねじ２１を締め付け、端子台カバー２０を固定する。
【００３７】
図１３は、この発明の実施の形態２に係る天板４１の電源線挿入穴４１ｂを用いずに電源線７５を取り付ける手順について説明する図である。次に、図１３を用いて、電源線挿入穴４１ｂを用いずに電源線７５を接続する方法について説明する。
【００３８】
まず、図１３（ａ）に示すように、照明器具１の背面側から電源線７５を天板４１上に配置する。  次に、電源線７５を天板４１から上方に持ち上げ、電源線７５の接続線を、電源端子台３２の接続口に接続する。最後に、図１２（ｂ）と同様の手順で、端子台カバー２０を照明器具１に固定する。この状態で、図１３（ｂ）に示すように、電源線７５は、電源線用開口部２０ｄから端子台カバー２０の外に引き出される。
【００３９】
図１３を用いて説明した電源線７５の接続方法は、高天井用の照明器具では一般的な施工方法であるため、照明器具１を取り付ける施工者が迷うおそれが少ない。一方で、図１３を用いて説明した電源線７５の取り付け方法は、図１２を用いて説明した電源線７５の取り付け方法とは異なり、電源線７５に張力が加わった場合、電源端子台３２に張力が伝わるおそれがある。そこで、電源端子台３２に張力が伝わらないようにするため、樹脂などで形成されたクランプを用い、電源線７５を天板４１上に固定してもよい。
【符号の説明】
【００４０】
１  照明器具、１０  アーム、１０ａ，１０ｂ  取付穴、１１  アーム取付ねじ、１２  貫通穴、２０  端子台カバー、２０ａ  固定穴、２０ｂ  長穴部、２０ｃ  丸穴部、２０ｄ  電源線用開口部、２０ｅ  爪部、２０ｆ  正面側端部、２１  カバー固定ねじ、３０  電源ケース、３０ａ  フランジ、３１  コネクタカバー、３２  電源端子台、３３  ケース締結ねじ、３４  開口部、３８  拡張端子、４０  ヒートシンク枠組、４１  天板、４１ａ  突起受穴、４１ｂ  電源線挿入穴、４２  支柱枠組、４３  中央支柱、５０  ヒートシンク、５１  放熱フィン、５２  放熱板、６０  光源モジュール、６１  絶縁シート、７０  リフレクタ、７１  カバー、７２  カバー取付ねじ、７３  落下防止金具、７４  落下防止ワイヤ、７５  電源線、８０  光源ユニット。
【図１】
2019185910.tif 000003
【図２】
2019185910.tif 000004
【図３】
2019185910.tif 000005
【図４】
2019185910.tif 000006
【図５】
2019185910.tif 000007
【図６】
2019185910.tif 000008
【図７】
2019185910.tif 000009
【図８】
2019185910.tif 000010
【図９】
2019185910.tif 000011
【図１０】
2019185910.tif 000012
【図１１】
2019185910.tif 000013
【図１２】
2019185910.tif 000014
【図１３】
2019185910.tif 000015